(57)【特許請求の範囲】
【請求項１】
隣接する土壌間を区画する区画部材と、
該区画部材同士を連結する連結部材と、
前記区画部材を前記土壌中に支持するための支持部材と、を備えた見切り縁材において、
前記区画部材が、
前記隣接する土壌間を区画するための平板部と、
該平板部の上下方向両端に、互いに凹部が対向するように形成されたＵ字部と、を備えており、
前記支持部材に、前記Ｕ字部の前記凹部に嵌合する嵌合部が形成されていることを特徴とする見切り縁材。
【請求項２】
前記Ｕ字部が、前記平板部の両端で異なる形状で形成されていることを特徴とする請求項１に記載の見切り縁材。
【請求項３】
前記連結部材は、前記Ｕ字部の前記凹部に挿入可能に構成されていることを特徴とする請求項１または２に記載の見切り縁材。
【請求項４】
前記Ｕ字部の内面または前記連結部材の少なくともいずれか一方に、互いに当接可能な当接部が形成されていることを特徴とする請求項１〜３のいずれか一項に記載の見切り縁材。
【発明の詳細な説明】
【技術分野】
【０００１】
本発明は、見切り縁材に関するものである。
【背景技術】
【０００２】
従来から、公園や庭園などにおいて、芝生、砂地および植え込みなどに境界線を作るために見切り縁材が使用され、所望の形状に区画されている。この見切り縁材には、（１）見切り縁（境界線）を自在に設定できること、（２）施工が容易であること、（３）地盤の沈下や持ち上がりが少ないこと、（４）耐久性に富み長寿命であること、（５）コストが割安であること、などといったことが要望されている。
上述のような目的を実現するために、様々な見切り縁材が提案されており、例えば、特許文献１のように、区画プレートと、この区画プレートを支持するアームと、区画プレート同士を連結するジョイントとで構成され、ジョイントはその上下方向の両端部に形成される一対の嵌合溝と、両嵌合溝に形成されジョイントを所望角度に折曲可能にする角度設定手段とを備え、区画プレートの連結により形成される形状を自在に設定できるようにしたものがある。
【特許文献１】特開２００６−２５４８４２号公報
【発明の開示】
【発明が解決しようとする課題】
【０００３】
ところで、上述の特許文献１の見切り縁材は、区画プレート、アームおよび支持板とで構成される断面が略Ｌ字状になっており、支持板を設置する際に、土壌を支持板の幅以上に掘り起こす必要があり、作業に手間がかかるという問題があった。
【０００４】
そこで、この発明は、上述の事情を鑑みてなされたものであり、境界を自在に設定でき、地盤の持ち上がりを低減でき、かつ、作業効率を向上することができる見切り縁材を提供するものである。
【課題を解決するための手段】
【０００５】
上記の課題を解決するために、請求項１に記載した発明は、隣接する土壌間を区画する区画部材と、該区画部材同士を連結する連結部材と、前記区画部材を前記土壌中に支持するための支持部材と、を備えた見切り縁材において、前記区画部材が、前記隣接する土壌間を区画するための平板部と、該平板部の上下方向両端に、互いに凹部が対向するように形成されたＵ字部と、を備えており、前記支持部材に、前記Ｕ字部の前記凹部に嵌合する嵌合部が形成されていることを特徴としている。
【０００６】
請求項２に記載した発明は、前記Ｕ字部が、前記平板部の両端で異なる形状で形成されていることを特徴としている。
【０００８】
請求項３に記載した発明は、前記連結部材は、前記Ｕ字部の前記凹部に挿入可能に構成されていることを特徴としている。
【０００９】
請求項４に記載した発明は、前記Ｕ字部の内面または前記連結部材の少なくともいずれか一方に、互いに当接可能な当接部が形成されていることを特徴としている。
【発明の効果】
【００１０】
請求項１に記載した発明によれば、一方のＵ字部が見切り縁として土壌の表面にＵ字部の底面が露出するように配置され、他方のＵ字部はその凹部が上方を指向するように配置される。したがって、土壌を埋め戻すと、他方のＵ字部の凹部内に土壌が充填されるため、区画部材を土壌中に確実に保持することができ、区画部材および土壌の浮き上がりを防止することができる効果がある。また、区画部材を土壌中に配置する際に、区画部材を配置する領域分の土壌だけ掘り起こせば設置することができるため、作業効率を向上することができる効果がある。さらに、区画部材を土壌中に配置するだけで境界が形成されるため、境界を自在に設定することができる効果がある。
また、支持部材の嵌合部をＵ字部の凹部に嵌合するように土壌中に打ち込むことで支持部材を設置することができる。したがって、支持部材は区画部材（凹部）のどの位置でも設置できるため、土壌中の障害物の影響を受けることなく、確実に区画部材を土壌中に支持することができるとともに、区画部材の浮き上がりをより確実に抑制することができる効果がある。
【００１１】
請求項２に記載した発明によれば、見切り縁として土壌の表面に露出させる形状を区画部材の両端から選択することができる。したがって、見切り縁のデザインの自由度を向上させることができる効果がある。
【００１３】
請求項３に記載した発明によれば、隣接する区画部材同士を連結する際に、連結部材を両側に位置する区画部材の凹部に挿入するだけで連結することができる。したがって、容易に区画部材を連結することができ、作業効率を向上することができる効果がある。
【００１４】
請求項４に記載した発明によれば、区画部材に連結部材を挿入した際に、当接部により区画部材と連結部材とを支持固定することができる。したがって、ネジなどにより固定しなくとも、区画部材と連結部材とを簡易な構成で確実に支持固定することができる効果がある。
【発明を実施するための最良の形態】
【００１５】
次に、この発明の実施形態を図１〜図１５に基づいて説明する。
図１に示すように、本実施形態の見切り縁材１０は、隣接する土壌間を区画する区画部材１１と、区画部材１１同士を連結する連結部材１３と、区画部材１１を土壌中に支持するための支持部材１５と、を備えている。
【００１６】
図２、図３に示すように、区画部材１１は、例えば木粉が約２０％混入したポリエチレン樹脂で形成されている。区画部材１１は、平板状に形成された平板部２１と、平板部２１の高さ方向の両端に形成された大Ｕ字部２２および小Ｕ字部２３と、で構成されている。平板部２１の両端部に、大Ｕ字部２２の底部２４および小Ｕ字部２３の底部２５が連接されている。また、大Ｕ字部２２の凹部２６と小Ｕ字部２３の凹部２７とが対向するように形成されている。
【００１７】
図４、図５に示すように、連結部材１３は、区画部材１１と同じく木粉が約２０％混入したポリエチレン樹脂で形成されている。連結部材１３は、正面視において略正方形の形状で形成されている。連結部材１３の表面１３ａには、大Ｕ字部２２の凹部２６内に挿入して凹部２６の内面２８に当接可能な第一当接部３１が、連結部材１３の表面１３ａに対して略垂直方向に突出形成されている。また、小Ｕ字部２３の凹部２７内に挿入して凹部２７の内面２９に当接可能な第二当接部３２が、連結部材１３の表面１３ａに対して略垂直方向に突出形成されている。第一当接部３１および第二当接部３２は、それぞれ３箇所ずつ形成されている。なお、連結部材１３は、区画部材１１の片側の面のみに取りつけてもよいし、両側の面に取りつけてもよい。
【００１８】
図６、図７に示すように、支持部材１５は、区画部材１１と同じく木粉が約２０％混入したポリエチレン樹脂で形成されている。支持部材１５は、略杭形状に形成されており、先端部１５ａを土壌中に差し込むことで区画部材１１を土壌中に支持固定できるようになっている。支持部材１５の後端部１５ｂには、嵌合部３５が形成されている。嵌合部３５には、２種類の形状の嵌合部が形成されている。第一嵌合部３６は、区画部材１１の大Ｕ字部２２の凹部２６に嵌合可能な形状を有している。一方、第二嵌合部３７は、区画部材１１の小Ｕ字部２３の凹部２７に嵌合可能な形状を有している。また、支持部材１５の胴部３８には、先細り形状に形成された、引き抜き防止部３９が形成されている。なお、引き抜き防止部３９は、平面視において第一嵌合部３６および第二嵌合部３７が形成されている方向と直交する方向に形成されている。このように構成することで、支持部材１５を土壌中に打ち込む際に、引き抜き防止部３９が区画部材１１と干渉することなく、スムーズに打ち込むことができる。
【００１９】
（作用）
次に、本実施形態の見切り縁材１０の設置方法について説明する。なお、本実施形態では、大Ｕ字部２２が地表面に露出する場合で説明する。
図８に示すように、見切り縁材１０を設置する箇所の土を溝５１状に掘り起こす。掘り起こした土は、埋め戻しに用いるため、脇に積んでおく（不図示）。
【００２０】
図９に示すように、区画部材１１を溝内に配置するとともに、連結部材１３にて区画部材１１同士を連結していく（図１参照）。なお、見切り縁材１０を曲線状に配置したい場合には、区画部材１１の大Ｕ字部２２および小Ｕ字部２３の側面を鋸などで一部切り落として、折曲すればよい。
【００２１】
図１０に示すように、区画部材１１を配置した後に、支持部材１５を土壌内に打ち込む。このとき、支持部材１５の第二嵌合部３７を小Ｕ字部２３の凹部２７内に嵌合するようにして打ち込む。ここで、支持部材１５は、凹部２７の任意の位置で嵌合できるため、確実に区画部材１１が支持固定されるようにする。また、支持部材１５を打ち込む際には、木片のあて木をしてハンマーで打ち込むとよい。
【００２２】
図１１に示すように、区画部材１１の高さを調節しながら、土を埋め戻す。このとき、小Ｕ字部２３の凹部２７内に土を充填して、区画部材１１の浮き上がりを抑制する。
図１２に示すように、全ての土を埋め戻して、作業が完了となる。
【００２３】
本実施形態によれば、一方のＵ字部（例えば、大Ｕ字部２２）を見切り縁として土壌の表面に大Ｕ字部２２の底面が露出するように配置すると、他方のＵ字部（例えば、小Ｕ字部２３）はその凹部２７が上方を指向するように配置される。したがって、土壌を埋め戻すと、小Ｕ字部２３の凹部２７内に土壌が充填されるため、区画部材１１の浮き上がりを防止することができる。また、区画部材１１を土壌中に配置する際に、区画部材１１を配置する領域分の土壌だけ掘り起こせば設置することができるため、作業効率を向上することができる。また、掘り起こす土壌の量を少なくすることができるため、土壌の沈下を抑制することもできる。
【００２４】
また、区画部材１１の両端の一方に大Ｕ字部２２を形成し、他方に小Ｕ字部２３を形成することで、見切り縁として土壌の表面に露出させる形状を区画部材１１の両端からいずれか一方を選択することができる。したがって、見切り縁のデザインの自由度を向上させることができる。
【００２５】
また、支持部材１５の第一嵌合部３６または第二嵌合部３７を、Ｕ字部の凹部形状に合わせて選択し、嵌合部と凹部とが嵌合するように土壌中に打ち込むことで支持部材１５を設置することができる。したがって、支持部材１５は区画部材１１（凹部２６または凹部２７）のどの位置でも設置できるため、土壌中の障害物の影響を受けることなく、確実に区画部材１１を土壌中に支持することができるとともに、区画部材１１の浮き上がりをより確実に抑制することができる。
【００２６】
さらに、隣接する区画部材１１同士を連結する際に、連結部材１３を両側に位置する区画部材１１の凹部２６，２７に挿入するだけで連結することができる。したがって、容易に区画部材１１を連結することができ、作業効率を向上することができる。
【００２７】
そして、区画部材１１に連結部材１３を挿入する際に、第一当接部３１および第二当接部３２により区画部材１１と連結部材１３とを支持固定することができる。したがって、ネジなどにより固定しなくとも、区画部材１１と連結部材１３とを簡易な構成で確実に支持固定することができる。
【００２８】
また、本実施形態では、区画部材１１、連結部材１３および支持部材１５を木粉が約２０％混入したポリエチレン樹脂で形成したため、見切り縁のデザインを曲線状にしたい場合には、大Ｕ字部２２および小Ｕ字部２３の側面を鋸で切り欠いて、容易に折曲させることができる。したがって、好みの曲線形状を容易に実現することができ、境界を自在に設定することができる。また、各部材を樹脂材料で形成したため、部材の軽量化を図ることができ、運搬も容易であり、施工性も向上することができる。また、各部材を樹脂材料で形成したため、部材の長寿命化を図ることができる。さらに、使用する部材が、区画部材、連結部材および支持部材のみで構成されるため、コストの上昇を抑制することも可能となる。そして、木粉が約２０％混入したポリエチレン樹脂を採用することで、環境配慮型の公園・庭園の実現に寄与することができる。
【００２９】
なお、本発明の技術範囲は上述の実施形態に限定されるものではなく、本発明の趣旨を逸脱しない範囲において、種々の変更を加えることが可能であり、実施形態で挙げた具体的な材料、寸法や構成などはほんの一例に過ぎず、適宜変更が可能である。
例えば、本実施形態では、区画部材１１の両端に大Ｕ字部２２および小Ｕ字部２３を形成した場合の説明をしたが、両端ともに大Ｕ字部２２を形成してもよいし（図１３参照）、両端とも小Ｕ字部２３を形成してもよい（図１４参照）。
また、本実施形態では、各部材を木粉が約２０％混入したポリエチレン樹脂で形成したが、それに限らず別の樹脂材料を用いてもよい。また、樹脂だけでなく、金属系の材料で形成してもよい。
さらに、本実施形態では、区画部材と連結部材との当接部を連結部材に形成したが、区画部材の凹部内に当接部３３を形成してもよい（図１５参照）。
【図面の簡単な説明】
【００３０】
【図１】本発明の実施形態における見切り縁材の斜視図である。
【図２】本発明の実施形態における区画部材の斜視図である。
【図３】本発明の実施形態における区画部材の側面図である。
【図４】本発明の実施形態における連結部材の正面図である。
【図５】本発明の実施形態における連結部材の側面図である。
【図６】本発明の実施形態における支持部材の正面図である。
【図７】本発明の実施形態における支持部材の側面図である。
【図８】本発明の実施形態における見切り縁材の設置方法を示す説明図（１）である。
【図９】本発明の実施形態における見切り縁材の設置方法を示す説明図（２）である。
【図１０】本発明の実施形態における見切り縁材の設置方法を示す説明図（３）である。
【図１１】本発明の実施形態における見切り縁材の設置方法を示す説明図（４）である。
【図１２】本発明の実施形態における見切り縁材の設置方法を示す説明図（５）である。
【図１３】本発明の実施形態における区画部材の別の態様を示す側面図（１）である。
【図１４】本発明の実施形態における区画部材の別の態様を示す側面図（２）である。
【図１５】本発明の実施形態における区画部材の別の態様を示す側面図（３）である。
【符号の説明】
【００３１】
１０…見切り縁材  １１…区画部材  １３…連結部材  １５…支持部材  ２１…平板部  ２２…大Ｕ字部（Ｕ字部）  ２３…小Ｕ字部（Ｕ字部）  ２６…凹部  ２７…凹部  ３１…第一当接部（当接部）  ３２…第二当接部（当接部）  ３５…嵌合部  ３６…第一嵌合部（嵌合部）  ３７…第二嵌合部（嵌合部）  
【図１】
0005046969.tif 000002
【図２】
0005046969.tif 000003
【図３】
0005046969.tif 000004
【図４】
0005046969.tif 000005
【図５】
0005046969.tif 000006
【図６】
0005046969.tif 000007
【図７】
0005046969.tif 000008
【図８】
0005046969.tif 000009
【図９】
0005046969.tif 000010
【図１０】
0005046969.tif 000011
【図１１】
0005046969.tif 000012
【図１２】
0005046969.tif 000013
【図１３】
0005046969.tif 000014
【図１４】
0005046969.tif 000015
【図１５】
0005046969.tif 000016